Podtech/llm-jp-corpus-v4-ja_patent huggingface dataset:
【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
内部体積を画定する容器と、
容器の内部体積内に位置する皮膚消毒薬組成物と、
その中に少なくとも１つの開口部を含む、容器に取り付けられた噴出口と、
容器の内部体積と噴出口との間に位置する分配シールと、
１センチメートルあたり３５ダイン以上の見かけの表面エネルギーを有する親水性フォームを含む、噴出口上に位置するフォームパッドと、
を含む、皮膚消毒薬組成物ディスペンサー。
【請求項２】
金属箔層を含まない１つ以上の屈曲性の壁を含む管形状を含む、内部体積を画定する容器と、
容器の内部体積内に位置する皮膚消毒薬組成物と、
皮膚消毒薬組成物を分配するための分配手段と、
を含む、皮膚消毒薬組成物ディスペンサーであって、
容器が、皮膚消毒薬組成物の液体および蒸気相に対して不透過性であり、かつ容器が、２０ｍｇ／時間／ｃｍ2以下の気体状エチレンオキシドに対する透過性を示すディスペンサー。
【請求項３】
金属箔層を含まない１つ以上の屈曲性の壁を含むシリンダーを含む、内部体積を画定する容器と、
容器の内部体積内に位置する皮膚消毒薬組成物と、
皮膚消毒薬組成物を分配するための分配手段と、
を含む、皮膚消毒薬組成物ディスペンサーであって、
容器が、皮膚消毒薬組成物の液体および蒸気相に対して不透過性であり、かつ金属箔層を含まない１つ以上の屈曲性の壁が、内部層と外部層とを含み、内部層および外部層の少なくとも１つが、エチレンオキシドに対して実質的に不透過性であるディスペンサー。
【請求項４】
長軸に沿って第２の端部から遠位にある第１の端部を含む、内部体積を画定する容器と、
容器の内部体積内に位置する皮膚消毒薬組成物と、
容器の第１の端部に近接する少なくとも１つの分配開口部と、
少なくとも１つの分配開口部を閉鎖する分配シールと、
容器の第２の端部に近接する少なくとも１つのベントオリフィスと、
少なくとも１つのベントオリフィスを閉鎖するベントシールと、
容器の第１の端部に取り付けられたアプリケーターと、
を含む、皮膚消毒薬組成物ディスペンサーであって、
分配シールが開放された時に、少なくとも１つの分配開口部がアプリケーターと流体連通し、
分配シールおよびベントシールが開放され、そして少なくとも１つのベントオリフィスが少なくとも１つの分配開口部上に位置する時に、重力下で、皮膚消毒薬組成物が分配開口部を通してアプリケーターに入るディスペンサー。
【請求項５】
使用のために皮膚消毒薬組成物ディスペンサーを調製する方法であって、
内部体積を画定する容器と、容器の内部体積内に位置する皮膚消毒薬組成物と、
容器に取り付けられたアプリケーターと、液体不透過性スリーブとを含み、アプリケーターが液体不透過性スリーブ内に位置する皮膚消毒薬組成物ディスペンサーを提供する工程と、
容器からアプリケーター中へ皮膚消毒薬組成物を移動させて、アプリケーターによって保持されない皮膚消毒薬組成物が液体不透過性スリーブ内に保持される工程と、
容器からアプリケーター中への皮膚消毒薬組成物の移動後に、液体不透過性スリーブからアプリケーターを取外す工程と、
を含む方法。
【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
外科手術用ニードルであって、該ニードルは、以下：
長手軸を規定する細長ニードル本体を備え、該細長ニードル本体は、主軸、該主軸に隣接したニードル端部、および該ニードル端部から連続して延びて、ニー ドル先端点を有するニードル先端部を備え、該ニードル端部は、該ニードル先端部から該主軸まで延びる少なくとも３つの非線形交差表面を備え、該ニードル先端部は、該ニードル端点から該ニードル端部まで延びる少なくとも３つの非線形交差表面を備え、かつ該ニードル端部の該少なくとも３つの非線形表面と交差す る、外科手術用ニードル。
【請求項２】
請求項１に記載の外科手術用ニードルであって、前記ニードル端部の前記少なくとも３つの非線形表面は、該非線形表面に隣接する表面との交線に沿って切り刃を規定する、外科手術用ニードル。
【請求項３】
請求項１に記載の外科手術用ニードルであって、前記ニードル先端部の前記少なくとも３つの非線形表面は、該非線形表面に隣接する表面との交線に沿って切り刃を規定する、外科手術用ニードル。
【請求項４】
請求項３に記載の外科手術用ニードルであって、前記ニードル端部の前記少なくとも３つの非線形交差表面、および前記ニードル先端部の前記少なくとも３つの非線形交差表面は、該ニードル端部と該ニードル先端部との交線に沿って切り刃を規定する、外科手術用ニードル。
【請求項５】
請求項４に記載の外科手術用ニードルであって、前記ニードル端部は、４つの非線形表面を備える、外科手術用ニードル。
【請求項６】
請求項５に記載の外科手術用ニードルであって、前記ニードル先端部は、４つの非線形表面を備える、外科手術用ニードル。
【請求項７】
請求項６に記載の外科手術用ニードルであって、前記ニードル端部および前記ニードル先端部の各々の前記４つの非線形表面は、ほぼ凹型である、外科手術用ニードル。
【請求項８】
請求項１に記載の外科手術用ニードルであって、前記ニードル端部および前記ニードル先端部の各々の前記少なくとも３つの非線形表面は、ほぼ凹型である、外科手術用ニードル。
【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
患者の乳房内の線維腺腫を冷凍除去するシステムは、以下のように構成される：
乳房の皮膚を通して線維腺腫の中まで経皮的に挿入するのに適した冷凍プローブ、その冷凍プローブは第一出力レベルおよび第二出力レベルで冷却するのに適し、第一出力レベルは第一冷凍温度までの冷却を可能にし、第二出力レベルは第一冷凍温度よりも高い第二冷凍温度までの冷却を可能にする；
操作的に冷凍プローブと接続され、冷凍プローブに冷却液を供給するのに適した液体供給アセンブリ；
オペレータの入力に呼応して冷凍プローブおよび液体供給アセンブリを制御操作するための制御システム；
第一出力レベルで冷凍プローブを操作するための第一予定期間、および第二出力レベルで冷凍プローブを操作するための第二予定期間を入力するための入力装置；
ここで、制御システムは冷凍プローブが線維腺腫を凍結するのを制御し、第一期間に相当する時間だけ第一出力レベルで冷凍プローブを操作し、その後第二期間に相当する時間だけ第二出力レベルで冷凍プローブを操作し、その後冷凍プローブを停止して予め決められた解凍期間を提供し、その後第一期間と同じ時間だけ第一出力レベルで冷凍プローブを操作し、その後第二期間に相当する時間だけ第二出力レベルで冷凍プローブを操作するようプログラムする。
【請求項２】
請求項１のシステムでは：
入力装置はディスプレイおよび時間入力装置からなる入力パネル、オペレータが入力した時間を表示するためのディスプレイ、時間の入力がかかわってくる冷凍プローブの操作モードを選択するためのモード選択装置から構成されている；
制御システムは入力された第一期間および入力された第二期間に関する時間入力装置からの入力を受信し、入力された第一期間および第二期間に基づいて解凍期間を決定する。
【請求項３】
請求項１のシステムでは：
液体供給アセンブリは温暖液を冷凍プローブに供給するようにも適している；
制御システムは、線維腺腫を凍結するために冷凍プローブを操作した後、温暖ガス流を冷凍プローブに予め決められた時間だけ供給するようプログラムされている。
【請求項４】
請求項１のシステムでは：
制御システムおよび液体供給アセンブリは、冷却液を様々なデューティサイクルで冷凍プローブに供給するのに適しており、制御システムは第一出力レベルで冷却するため第一デューティサイクルで冷凍プローブを操作し、第二出力レベルで冷却するため第二デューティサイクルで冷凍プローブを操作するようプログラムされている。
【請求項５】
請求項１のシステムでは：
制御システムおよび液体供給アセンブリは、冷却液を様々なデューティサイクルで冷凍プローブに供給するのに適しており、制御システムは第一出力レベルで冷却するため１００％デューティサイクルで冷凍プローブを操作し、第二出力レベルで冷却するため１０％デューティサイクルで冷凍プローブを操作するようプログラムされている。
【請求項６】
請求項１のシステムでは：
制御システムおよび液体供給アセンブリは、冷却液を様々な流量で冷凍プローブに供給するのに適しており、制御システムは第一出力レベルで冷却するため第一流量で冷凍プローブを操作し、第二出力レベルで冷却するため第二流量で冷凍プローブを操作するようプログラムされている。
【請求項７】
患者の乳房内の線維腺腫を冷凍除去するシステムは、以下のように構成される：
乳房の皮膚を通して線維腺腫の中まで経皮的に挿入するのに適した冷凍プローブ、その冷凍プローブは第一出力レベルおよび第二出力レベルで冷却するのに適し、第一出力レベルは第一冷凍温度までの冷却を可能にし、第二出力レベルは第一冷凍温度よりも高い第二冷凍温度までの冷却を可能にする；
操作的に冷凍プローブと接続され、冷凍プローブに冷却液を供給するのに適した液体供給アセンブリ；
オペレータの入力に呼応して冷凍プローブおよび液体供給アセンブリを制御操作するための制御システム；
第一出力レベルで冷凍プローブを操作するための第一予定期間、および第二出力レベルで冷凍プローブを操作するための第二予定期間を入力するための入力装置；
ここで、制御システムは冷凍プローブが線維腺腫を凍結するのを制御し、第一期間に相当する時間だけ第一出力レベルで冷凍プローブを操作し、その後第二期間に相当する時間だけ第二出力レベルで冷凍プローブを操作し、その後冷凍プローブを停止して第一期間と第二期間の合計に相当する予め決められた解凍期間を提供し、その後第一期間と同じ時間だけ第一出力レベルで冷凍プローブを操作し、その後第二期間に相当する時間だけ第二出力レベルで冷凍プローブを操作するようプログラムする。
【請求項８】
請求項７のシステムでは：
入力装置はディスプレイおよび時間入力装置からなる入力パネル、オペレータが入力した時間を表示するためのディスプレイ、時間の入力がかかわってくる冷凍プローブの操作モードを選択するためのモード選択装置から構成されている；
制御システムは入力された第一期間および入力された第二期間に関する時間入力装置からの入力を受信し、入力された第一期間および第二期間に基づいて解凍期間を決定する。
【請求項９】
請求項７のシステムでは：
液体供給アセンブリは温暖液を冷凍プローブに供給するようにも適している；
制御システムは、線維腺腫を凍結するために冷凍プローブを操作した後、温暖ガス流を冷凍プローブに予め決められた時間だけ供給するようプログラムされている。
【請求項１０】
請求項７のシステムでは：
制御システムおよび液体供給アセンブリは、冷却液を様々なデューティサイクルで冷凍プローブに供給するのに適しており、制御システムは第一出力レベルで冷却するため第一デューティサイクルで冷凍プローブを操作し、第二出力レベルで冷却するため第二デューティサイクルで冷凍プローブを操作するようプログラムされている。
【請求項１１】
請求項７のシステムでは：
制御システムおよび液体供給アセンブリは、冷却液を様々なデューティサイクルで冷凍プローブに供給するのに適しており、制御システムは第一出力レベルで冷却するため１００％デューティサイクルで冷凍プローブを操作し、第二出力レベルで冷却するため１０％デューティサイクルで冷凍プローブを操作するようプログラムされている。
【請求項１２】
請求項７のシステムでは：
制御システムおよび液体供給アセンブリは、冷却液を様々な流量で冷凍プローブに供給するのに適しており、制御システムは第一出力レベルで冷却するため第一流量で冷凍プローブを操作し、第二出力レベルで冷却するため第二流量で冷凍プローブを操作するようプログラムされている。
【請求項１３】
請求項７のシステムでは：
第一出力レベルは高出力冷凍を提供し、第二出力レベルは低出力冷凍を提供し、
冷凍時間及び解凍時間は繊維腺腫の大きさに基づいて選択する。
【請求項１４】
請求項７のシステムでは：
制御システムは、
与えられた冷凍プローブに最適な高出力及び低出力の冷凍期間を経験的に決定し、該経験的に決定された最適高出力及び低出力冷凍ポイントに対応するように高出力期間と低出力期間を選択することにより、予め設定された冷凍サイクルで制御するのに適している。
【手続補正書】
【提出日】平成18年5月17日(2006.5.17)
【手続補正１】
【補正対象書類名】明細書
【補正対象項目名】０１１０
【補正方法】変更
【補正の内容】
【０１１０】
別の態様において、異常性には、ステロイドまたは下垂体ホルモン疾患、エピネフリン放出疾患、胃腸疾患、心臓血管疾患、電解質バランス疾患、高血圧、糖尿病、呼吸疾患、喘息、再生機能疾患、免疫疾患、内分泌疾患、筋骨格疾患、神経内分泌疾患、認知疾患、記憶疾患例えばアルツハイマー病、知覚変調および伝達疾患、運動調節疾患、感覚統合疾患、ドーパミン機能疾患例えばパーキンソン病、知覚伝達疾患、嗅覚疾患、交感神経疾患、情動疾患例えば抑鬱症および不安症、ストレス関連疾患、体液調節疾患、発作疾患、痛み、精神病的行動例えば統合失調病、モルヒネ寛容、アヘン中毒、片頭痛、または泌尿器疾患例えば尿失禁がある。
【手続補正書】
【提出日】平成18年8月30日(2006.8.30)
【手続補正１】
【補正対象書類名】特許請求の範囲
【補正対象項目名】請求項７
【補正方法】変更
【補正の内容】
【請求項７】
ａ）シェルがマトリックスを形成し、コアが本質的に中実であるコア／シェル粒子の分散物を乾燥するステップと、
ｂ）場合により、適切な壁材料の１つ以上の前駆体を添加するステップと、
ｃ）次いでコアを除去するステップと
を特徴とする逆オパール構造体の製造方法。
【手続補正書】
【提出日】平成17年12月13日(2005.12.13)
【手続補正１】
【補正対象書類名】特許請求の範囲
【補正対象項目名】全文
【補正方法】変更
【補正の内容】
【特許請求の範囲】
【請求項１】
動物の体表面を、新たな製品で少なくとも３度拭取るようにユーザーに指示することを含み、
少なくとも１つの新たな製品が乾燥状態であり、少なくとも１つの新たな製品が湿潤状態である、
ことを特徴とする、動物の体表面から汚れをクリーニングするための方法。
【請求項２】
前記指示が、前記表面を乾燥製品で拭取り、続いて該表面を湿潤製品で拭取り、続いて該表面を乾燥製品で拭取るようにユーザーに指示することを含む、請求項１に記載の方法。
【請求項３】
前記指示が、前記表面を湿潤製品で拭取り、続いて該表面を乾燥製品で拭取り、続いて該表面を乾燥製品で拭取るようにユーザーに指示することを含む、請求項１に記載の方法。
【請求項４】
前記指示が、前記表面を湿潤製品で拭取り、続いて該表面を乾燥製品で拭取り、続いて該表面を湿潤製品で拭取るようにユーザーに指示することを含む、請求項１に記載の方法。
【請求項５】
前記乾燥状態の新たな製品が乾燥製品の識別名に関連し、前記湿潤状態の新たな製品が湿潤製品の識別名に関連し、該乾燥製品の識別名及び該湿潤製品の識別名が少なくとも１つの同一である語を含むことを特徴とする、請求項１に記載の方法。
【請求項６】
第１の新たな製品を含むパッケージと、
動物の体表面を、前記第１の新たな製品及び第２の新たな製品の組合せを用いて、少なくとも３度拭取ることについての指示と、
を含み、
前記第１の新たな製品又は前記第２の新たな製品の１つが湿潤状態である、
ことを特徴とする、動物の体表面のクリーニングを容易にするためのシステム。
【請求項７】
前記第１の新たな製品が、湿潤製品であることを特徴とする、請求項６に記載のシステム。
【請求項８】
前記第１の新たな製品が、乾燥製品であることを特徴とする、請求項６に記載のシステム。
【請求項９】
ディスペンサをさらに備えることを特徴とする、請求項６に記載のシステム。
【請求項１０】
前記指示が、前記パッケージに同封されていることを特徴とする、請求項６に記載のシステム。
【請求項１１】
前記指示が、前記パッケージに印刷されていることを特徴とする、請求項６に記載のシステム。
【請求項１２】
前記パッケージが、前記第２の新たな製品をさらに備えることを特徴とする、請求項６に記載のシステム。
【請求項１３】
前記第１の新たな製品が第１の製品の識別名に関連し、前記第２の新たな製品が第２の製品の識別名に関連し、該第１の製品の識別名及び該第２の製品の識別名が少なくとも１つの同一である語を含むことを特徴とする、請求項６に記載のシステム。
【請求項１４】
第１の多数の部分を含む乾燥製品と、
第２の多数の部分を含む湿潤製品と、
動物の体表面を、前記乾燥製品の新たな部分及び前記湿潤製品の新たな部分の組合せを用いて、少なくとも３度拭取ることについての指示と、
を含むことを特徴とする、動物の体表面のクリーニングを容易にするためのパッケージ。
【請求項１５】
前記指示が、前記表面を乾燥製品で拭取り、続いて該表面を湿潤製品で拭取り、続いて該表面を乾燥製品で拭取ることについてのユーザーに対する指示を含み、前記第１の部分の数が前記第２の部分の数の２倍であることを特徴とする、請求項１４に記載のパッケージ。
【請求項１６】
前記指示が、前記表面を湿潤製品で拭取り、続いて該表面を乾燥製品で拭取り、続いて該表面を乾燥製品で拭取ることについてのユーザーに対する指示を含み、前記第１の部分の数が前記第２の部分の数の２倍であることを特徴とする、請求項１４に記載のパッケージ。
【請求項１７】
前記指示が、前記表面を湿潤製品で拭取り、続いて該表面を乾燥製品で拭取り、続いて該表面を湿潤製品で拭取ることについてのユーザーに対する指示を含み、前記第１の部分の数が前記第２の部分の数の２倍であることを特徴とする、請求項１４に記載のパッケージ。
【請求項１８】
乾燥製品及び湿潤製品からなる集合から選択された第１の新たな製品をパッケージに同封し、
前記パッケージを販売に供する、
ことを含み、
前記パッケージが、表面を、一方が湿潤状態である前記第１の新たな製品と第２の新たな製品との組合せを用いて、少なくとも３度拭取ることについての指示を含む、
ことを特徴とする、動物の体表面のクリーニングを容易にするための方法。
【請求項１９】
前記第２の新たな製品を、前記パッケージに同封することをさらに含む、請求項１８に記載の方法。
【請求項２０】
ディスペンサを、前記パッケージに同封することをさらに含む、請求項１９に記載の方法。
【請求項２１】
前記第１の新たな製品が第１の製品の識別名に関連し、前記第２の新たな製品が第２の製品の識別名に関連し、該第１の製品の識別名及び該第２の製品の識別名が少なくとも１つの同一である語を含むことを特徴とする、請求項１８に記載の方法。
【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
眼科学的なおよび／または鼻科学的な機能障害の処置のための薬学的組成物の製造のための、パンテノールおよび／またはパントテン酸、ならびにヒアルロン酸および／またはヒアルロン酸塩、ならびに必要に応じてさらなる薬学的な助剤の使用。
【請求項２】
請求項１に記載の使用であって、各場合において薬学的組成物の総重量に対して、ヒアルロン酸の量および／またはヒアルロン酸塩の量が約０．００５重量％〜約５重量％、好ましくは約０．０１重量％〜約１重量％であることを特徴とする、使用。
【請求項３】
請求項１または請求項２に記載の使用であって、ヒアルロン酸および／またはヒアルロン酸塩が、約５０，０００〜約１０，０００，０００ダルトン、好ましくは約２５０，０００〜約５，０００，０００ダルトンの範囲にある分子量を有することを特徴とする、使用。
【請求項４】
請求項１〜３のいずれかに記載の使用であって、ヒアルロン酸塩がヒアルロン酸ナトリウムであることを特徴とする、使用。
【請求項５】
請求項１〜４のいずれかに記載の使用であって、薬学的組成物の総重量に対して、パンテノールおよび／またはパントテン酸の量が約０．５重量％〜１０重量％、好ましくは約２重量％〜５重量％であることを特徴とする、使用。
【請求項６】
請求項１〜５のいずれかに記載の使用であって、パンテノールがデクスパンテノールの形態にあることを特徴とする、使用。
【請求項７】
請求項１〜５のいずれかに記載の使用であって、パントテン酸が水溶性の塩、好ましくはパントテン酸ナトリウムまたはパントテン酸カルシウムの形態にあることを特徴とする、使用。
【請求項８】
請求項１〜７のいずれかに記載の使用であって、薬学的組成物が、溶液、懸濁液、乳濁液、ゲル、軟膏、ペースト、粉末、粒子、顆粒、または錠剤の形態にあることを特徴とする、使用。
【請求項９】
請求項１〜８のいずれかに記載の使用であって、眼科学的な機能障害が、眼の角膜および結膜の湿潤に対する障害に関連されることを特徴とする、使用。
【請求項１０】
請求項１〜９のいずれかに記載の使用であって、眼科学的な機能障害が、アレルギー性鼻結膜炎、アトピー性角結膜炎、アレルギー性角結膜炎、巨大乳頭結膜炎、春季カタル、上強膜炎、強膜炎、テノン嚢炎、シェーグレン症候群、およびそれらの複合型の形態からなる群より選択されることを特徴とする、使用。
【請求項１１】
請求項１〜８のいずれかに記載の使用であって、鼻科学的な機能障害が、鼻粘膜の乾きの現象に関連されることを特徴とする、使用。
【請求項１２】
請求項１〜８または１１のいずれかに記載の使用であって、鼻科学的な機能障害が、慢性鼻炎、乾燥性鼻炎、およびそれらの複合型の形態からなる群より選択されることを特徴とする、使用。
【請求項１３】
パンテノールおよび／またはパントテン酸、ならびにヒアルロン酸および／またはヒアルロン酸塩、ならびに必要に応じてさらなる薬学的な助剤からなる眼科学的なおよび／または鼻科学的な機能障害の処置剤。
【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
非生理学的に増加した細胞内レベルの微小管結合蛋白質ホスファターゼ２Ａ（ＰＰ２Ａｃ）の触媒サブユニットと関連するかまたはこれにより引き起こされる疾患を予防または治療するための医薬組成物であって，薬学的有効量のＭＩＤ１またはＭＩＤ２の群より選択される蛋白質または前記蛋白質をコードする核酸を含む医薬組成物。
【請求項２】
非生理学的に減少した細胞内レベルの微小管結合蛋白質ホスファターゼ２Ａ（ＰＰ２Ａｃ）の触媒サブユニットと関連するかまたはこれにより引き起こされる疾患を予防または治療するための医薬組成物であって，薬学的有効量のＭＩＤ１またはＭＩＤ２のペプチド性フラグメントであって，ＭＩＤ１のアミノ酸１０８−１６５またはＭＩＤ２のアミノ酸１０８−１６５を含むペプチド性フラグメント，または，α４に結合するが固有のホスファターゼ活性を有しない有効量のＰＰ２Ａｃのフラグメント，または，ＰＰ２Ａｃに対する結合部位を含むα４のペプチド性フラグメント，または，アミノ酸２３６−２７９を含むα４のペプチド性フラグメント，または，前記ペプチドフラグメントをコードする有効量の核酸分子，または，ＭＩＤ１またはＭＩＤ２とα４との相互作用を妨害するか，またはα４とＰＰ２Ａｃとの間の相互作用を妨害する有効量の分子，または，これらの相互作用の制御を妨害する有効量の分子，または，ＭＩＤ１および／またはα４の発現または活性を妨害する有効量の分子を含む医薬組成物。
【請求項３】
ＭＩＤ１のアミノ酸１１０−１６５を含むペプチド性フラグメント、ＭＩＤ２のアミノ酸１１０−１６５を含むペプチド性フラグメント，または，α４のアミノ酸１１１−２０２を含むペプチド性フラグメントを含む、請求項２記載の医薬組成物。
【請求項４】
前記疾患が骨粗鬆症である，請求項２または３に記載の医薬組成物。
【請求項５】
前記疾患が神経変性性疾患であるか，またはアポトーシスと関連するかまたはこれにより引き起こされる疾患である，請求項２または３に記載の医薬組成物。
【請求項６】
前記疾患がアルツハイマー病またはタウロパシーである，請求項５記載の医薬組成物。
【請求項７】
前記疾患が癌または転移である，請求項２または３に記載の医薬組成物。
【請求項８】
前記疾患が炎症性疾患である，請求項２または３に記載の医薬組成物。
【請求項９】
前記蛋白質または前記ペプチドフラグメントがＴＡＴに融合されている，請求項１−３のいずれかに記載の医薬組成物。
【請求項１０】
ＭＩＤ１および／またはα４の発現を妨害する分子がＲＮＡｉである，請求項２または３記載の医薬組成物。
【請求項１１】
ＭＩＤ１とα４との相互作用を妨害する前記分子が小分子である，請求項２または３記載の医薬組成物。
【請求項１２】
前記疾患がオピッツ疾患である，請求項１記載の医薬組成物。
【請求項１３】
ＭＩＤ１またはＭＩＤ２の群より選択される蛋白質または前記蛋白質をコードする核酸を含む組成物。
【請求項１４】
ＭＩＤ１またはＭＩＤ２のペプチド性フラグメントであって、ＭＩＤ１のアミノ酸１０８−１６５またはＭＩＤ２のアミノ酸１０８−１６５を含むペプチド性フラグメント，または，α４に結合するが固有のホスファターゼ活性を有しない有効量のＰＰ２Ａｃのフラグメント，または，ＰＰ２Ａｃに対する結合部位を含むα４のペプチド性フラグメント，または，アミノ酸２３６−２７９を含むα４のペプチド性フラグメント、または前記ペプチドフラグメントをコードする有効量の核酸分子，または，ＭＩＤ１またはＭＩＤ２とα４との相互作用を妨害するか，または，α４とＰＰ２Ａｃとの間の相互作用を妨害する有効量の分子，または，これらの相互作用の制御を妨害する有効量の分子，またはＭＩＤ１および／またはα４の発現または活性を妨害する有効量の分子を含む組成物。
【請求項１５】
ＭＩＤ１のアミノ酸１１０−１６５を含むペプチド性フラグメント，ＭＩＤ２のアミノ酸１１０−１６５を含むペプチド性フラグメント，または，α４のアミノ酸１１１−２０２を含むペプチド性フラグメントを含む、請求項１４記載の組成物。
【請求項１６】
ＭＩＤ１とα４との相互作用を妨害する分子を同定する方法であって，
（ａ）候補分子の存在下で，適当な条件下で，ＭＩＤ１またはＭＩＤ２，またはＭＩＤ１もしくはＭＩＤ２のペプチド性フラグメントであって，ＭＩＤ１のアミノ酸１０８−１６５またはＭＩＤ２のアミノ酸１０８−１６５を含むペプチド性フラグメントを，α４またはα４のペプチド性フラグメントと接触させ，または，α４またはα４のペプチド性フラグメントを，ＰＰ２ＡｃまたはＰＰ４ＣまたはＰＰ６Ｃ，またはＰＰ２ＡｃもしくはＰＰ４ＣもしくはＰＰ６ｃのペプチド性フラグメントと接触させ；そして
（ｂ）前記候補分子が前記相互作用を妨害するか否かを評価する，
ことを含む方法。
【請求項１７】
ＭＩＤ１もしくはＭＩＤ２のペプチド性フラグメントが、ＭＩＤ１のアミノ酸１１０−１６５を含むペプチド性フラグメントまたはＭＩＤ２のアミノ酸１１０−１６５を含むペプチド性フラグメントである、請求項１６記載の方法。
【請求項１８】
α４のペプチド性フラグメントが、α４のアミノ酸２３６−２７９を含むペプチド性フラグメントである、請求項１６または１７に記載の方法。
【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
クラウン部と、前記クラウン部から延びる一対のサイドウォールとを有しており、前記一対のサイドウォールの各々は、前記クラウン部と反対側の各サイドウォールの端に位置するビードを有している、タイヤと、
前記一対のサイドウォールの内の少なくとも一方のサイドウォールに配置された低圧／無圧使用インジケータと
を具備しており、前記低圧／無圧使用インジケータは、当該低圧／無圧使用インジケータが配置されている前記サイドウォールと一体に形成されており、前記低圧／無圧使用インジケータは、前記タイヤが望ましくない低タイヤ空気圧状態で動作したかどうかを、恒久的な物理的な変化によって表示するように構成されていることを特徴とする、車両用のタイヤ。
【請求項２】
前記低圧／無圧使用インジケータは、当該低圧／無圧使用インジケータの損耗領域によって、望ましくない低タイヤ空気圧状態を表示することを特徴とする請求項１に記載の車両用のタイヤ。
【請求項３】
前記低圧／無圧使用インジケータは、前記一対のサイドウォールの内の一方のサイドウォールの内側表面上の少なくとも１つの隆起リングであることを特徴とする請求項１に記載の車両用のタイヤ。
【請求項４】
クラウン部と、前記クラウン部から延びる一対のサイドウォールとを有しており、前記一対のサイドウォールの各々は、前記クラウン部と反対側の各サイドウォールの端に位置するビードを有している、タイヤと、
前記一対のサイドウォールの内の少なくとも一方のサイドウォールに配置された低圧／無圧使用インジケータと
を具備しており、前記低圧／無圧使用インジケータは、前記タイヤが望ましくない低タイヤ空気圧状態で動作したかどうかを、恒久的な物理的な変化によって表示するように構成されており、前記低圧／無圧使用インジケータは、前記一対のサイドウォールの内の一方のサイドウォールの内側表面上の少なくとも一対の隆起リングであり、前記一対の隆起リングの一方は、前記一対の隆起リングの他方の内側に位置していることを特徴とする、車両用のタイヤ。
【請求項５】
前記低圧／無圧使用インジケータは、前記一対のサイドウォールの内の一方のサイドウォールの内側表面上の３つの同心隆起リングであることを特徴とする請求項１に記載の車両用のタイヤ。
【請求項６】
前記低圧／無圧使用インジケータは、前記一対のサイドウォールの内の一方のサイドウォールの内側表面上の少なくとも１つの隆起線であることを特徴とする請求項１に記載の車両用のタイヤ。
【請求項７】
前記低圧／無圧使用インジケータは、互いに実質的に垂直な３つの隆起線であることを特徴とする請求項６に記載の車両用のタイヤ。
【請求項８】
前記低圧／無圧使用インジケータは、前記一対のサイドウォールの内の一方のサイドウォールの内側表面上の少なくとも１つの隆起三角形であることを特徴とする請求項１に記載の車両用のタイヤ。
【請求項９】
前記低圧／無圧使用インジケータは、大きさの異なる３つの隆起三角形であり、前記３つの隆起三角形の中心は共通する点上にあることを特徴とする請求項８に記載の車両用のタイヤ。
【請求項１０】
前記低圧／無圧使用インジケータは、前記一対のサイドウォールの内の一方のサイドウォールの内側表面上の少なくとも２つの互いに交差する隆起線であることを特徴とする請求項１に記載の車両用のタイヤ。
【請求項１１】
前記低圧／無圧使用インジケータは、第１の組の３つのほぼ平行な３つの隆起線と、それら第１の組の３つのほぼ平行な３つの隆起線に交差する第２の組の３つのほぼ平行な３つの隆起線とからなることを特徴とする請求項１０に記載の車両用のタイヤ。
【請求項１２】
前記低圧／無圧使用インジケータはＶ字型断面を有することを特徴とする請求項１に記載の車両用のタイヤ。
【請求項１３】
前記低圧／無圧使用インジケータの断面は、先端に円形部を有する実質的なＶ字型であることを特徴とする請求項１に記載の車両用のタイヤ。
【請求項１４】
前記低圧／無圧使用インジケータは、前記タイヤの赤道上の、前記一対のサイドウォールの内の一方のサイドウォールの内壁上に配置されていることを特徴とする請求項１に記載の車両用のタイヤ。
【請求項１５】
前記低圧／無圧使用インジケータは、前記一対のサイドウォールの内の一方のサイドウォールの内側表面上に、前記タイヤの周方向から約３０度から約８０度の範囲の角度に配置されていることを特徴とする請求項１に記載の車両用のタイヤ。
【請求項１６】
前記低圧／無圧使用インジケータは、望ましくない低タイヤ空気圧状態を、色つき表面の存在によって表示することを特徴とする請求項１に記載の車両用のタイヤ。
【請求項１７】
前記低圧／無圧使用インジケータは、前記タイヤが望ましくない低タイヤ空気圧状態で動作したときに恒久的に物理的に変化する隆起部材であることを特徴とする請求項１に記載の車両用のタイヤ。
【請求項１８】
前記タイヤは垂直アンカー付きタイヤであることを特徴とすることを特徴とする請求項１に記載の車両用のタイヤ。
【請求項１９】
クラウン部と、前記クラウン部から延びる一対のサイドウォールとを有しており、前記一対のサイドウォールの各々は、前記クラウン部と反対側のサイドウォールの端に位置するビードを有している、タイヤと、
前記一対のサイドウォールの内の一方のサイドウォールの内壁上に配置された低圧／無圧使用インジケータと
を具備しており、前記低圧／無圧使用インジケータは、当該低圧／無圧使用インジケータが配置されている前記サイドウォールと一体に形成されており、前記低圧／無圧使用インジケータは、前記タイヤが望ましくない相当低いタイヤ空気圧状態で動作したかどうかを表示するように構成されており、前記低圧／無圧使用インジケータは、前記タイヤが望ましくない相当低いタイヤ空気圧状態で動作している間に損耗を受ける領域によって、望ましくない低タイヤ空気圧状態を表示し、前記低圧／無圧使用インジケータは、前記一対のサイドウォールの内の一方のサイドウォールの内側表面上の隆起リッジパターンであり、前記隆起リッジパターンの断面形状は、ストレスを増幅するような形状であり、その増幅されたストレスのために前記隆起リッジパターンの一部が壊れて、望ましくない低タイヤ空気圧状態を表示するようにされており、前記損耗領域は、前記タイヤが望ましくない相当低いタイヤ空気圧状態で動作している間に最大ストレスの線に沿って前記低圧／無圧使用インジケータに形成される一直線に並んだ一列のノッチであることを特徴とする、車両用のタイヤ。
【手続補正書】
【提出日】平成18年7月31日(2006.7.31)
【手続補正１】
【補正対象書類名】特許請求の範囲
【補正対象項目名】全文
【補正方法】変更
【補正の内容】
【特許請求の範囲】
【請求項１】
胴部分及び蓋部分を含む缶において、
これらの胴部分及び蓋部分の少なくとも一方は、アルミニウムであり且つ少なくとも一方の主表面に関して塗料組成物で塗装されており、該塗料組成物は、１種又はそれ以上のポリエステル樹脂（これらのポリエステル樹脂の少なくとも一つは約５０℃未満のＴgを有し、しかもポリエステル樹脂は１種又はそれ以上の多酸分子と１種又はそれ以上のポリオール分子の反応により形成される）、及び架橋剤を含み、
しかも該塗料組成物は、可動性のＢＰＡ及び芳香族グリシジルエーテル化合物を実質的に含まない
缶。
【請求項２】
塗料組成物が２種又はそれ以上のポリエステル樹脂の配合物を含み、しかも該配合物は、約６０と９０重量パーセントの間の約５０℃未満のＴgを有するポリエステル樹脂及び約１０と４０重量パーセントの間の約５０℃より大のＴgを有するポリエステル樹脂を有する、請求項１に記載の缶。
【請求項３】
塗料組成物が、固形分含有量を基準として６０と９５重量パーセントの間のポリエステル樹脂を含む、請求項１又は２に記載の缶。
【請求項４】
塗料組成物が、固形分含有量を基準として１０と３０重量パーセントの間の架橋剤を含む、請求項１〜３のいずれか一項に記載の缶。
【請求項５】
塗料組成物が、固形分含有量を基準として２から１０重量パーセントのアクリレートコポリマーを更に含む、請求項１〜４のいずれか一項に記載の缶。
【請求項６】
アクリレートコポリマーが、１個又はそれ以上のグリシジル基を含む、請求項５に記載の缶。
【請求項７】
缶を製造する方法であって、次の諸工程すなわち
缶胴を形成し、
缶蓋を形成し、
しかも該蓋及び該胴の少なくとも一方を、少なくとも片面に関して塗料組成物で塗装し、該塗料組成物は、１種又はそれ以上のポリエステル樹脂（これらのポリエステル樹脂の少なくとも一つは約５０℃未満のＴgを有し、しかもポリエステル樹脂は１種又はそれ以上の多酸分子と１種又はそれ以上のポリオール分子の反応により形成される）、及び架橋剤を含み、しかも該塗料組成物は、可動性のＢＰＡ及び芳香族グリシジルエーテル化合物を実質的に含まず、
該胴に液体を充填し、そして
該蓋を該胴に取り付ける
工程を含む方法。
【請求項８】
アルミニウム基材用の塗料組成物であって、
そして１種又はそれ以上の多酸分子と１種又はそれ以上のポリオール分子の反応により形成されていて、しかも該ポリオール分子がＮＰＧを実質的に含まない、１種又はそれ以上のポリエステル樹脂（これらのポリエステル樹脂の少なくとも一つは約５０℃未満のＴgを有する）、及び
架橋剤
を含み、
しかも該塗料組成物は、可動性のＢＰＡ及び芳香族グリシジルエーテル化合物を実質的に含まず、且つ
該組成物は、アルミニウム基材用の塗料として用いるのに適応し、しかも缶蓋に二次加工されそして本明細書に記載されたように試験される場合に１０ミリアンペア未満の電流を通す
塗料組成物。
【請求項９】
組成物が、結合されたＢＰＡ及び芳香族グリシジルエーテル化合物も実質的に含まない、請求項８に記載の塗料組成物。
【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
ホモハリングトニンの製造法であって、
ａ）イヌガヤ属植物をクエン酸と接触させて、抽出混合物を得て；
ｂ）ａ）の抽出混合物のｐＨをアンモニアを用いて約８〜９の間に調節し；
ｃ）ｂ）の抽出混合物をクロロホルムを用いて抽出し；
ｄ）ｃ）の抽出混合物を減圧として、該クロロホルムを除去し；
ｅ）ｄ）の抽出混合物をシリカゲルカラムと接触させて、そして精製抽出生成物を溶出し；
ｆ）ｅ）の精製抽出生成物を濃縮し；
ｇ）ｆ）の濃縮精製抽出生成物を乾燥し；
ｈ）ｇ）の乾燥抽出生成物をメタノールと接触させて、沈降物を得て；そして、
ｉ）ホモハリングトニンを含む、該沈降物を収集する、
ことを含む、該製造法。
【請求項２】
ａ）の接触は少なくとも４８時間とする、請求項１記載の製造法。
【請求項３】
ｂ）の調節はｐＨ ８．５とする、請求項１記載の製造法。
【請求項４】
更に、ｂ）の抽出混合物を減圧下で濃縮し、該濃縮抽出混合物をクエン酸と接触させ、該濃縮抽出混合物をクロロホルムを用いて抽出し、そして、該濃縮抽出混合物のｐＨを約５〜８の間に調節することを含む、請求項１記載の製造法。
【請求項５】
ｈ）の接触は温度を４℃〜１０℃の間とする、請求項１記載の製造法。
【請求項６】
ｈ）の接触は少なくとも１６時間とする、請求項１記載の製造法。
【請求項７】
更に、ｈ）の沈降物をメタノールおよび水の混合物を用いてろ過し、そしてすすぐことを含む、請求項１記載の製造法。
【請求項８】
更に、該ろ過しそしてすすいだ沈降物をメタノールと接触させ、そして再度乾燥することを含む、請求項７記載の製造法。
【請求項９】
該ホモハリングトニンは少なくとも９８％純度である、請求項１記載の製造法。
【請求項１０】
更に、該ホモハリングトニンを緩衝化水または生理食塩水中に溶解することを含む、請求項９記載の製造法。
【請求項１１】
該溶解は医薬的な賦形剤なしで行なう、請求項１０記載の製造法。
【請求項１２】
活性成分として請求項１記載の製造法によって得られるホモハリングトニンを含有する、組成物。
【請求項１３】
マンニトールを含まない、請求項１２記載の組成物。
【請求項１４】
医薬的に許容し得る投与形態を得るのに凍結乾燥を必要としない、請求項１３記載の組成物。
【請求項１５】
静脈内経路によって投与する、請求項１２記載の組成物。
【請求項１６】
非静脈内経路によって投与する、請求項１２記載の組成物。
【請求項１７】
該非静脈内経路は筋肉内、皮下、経口または眼内の投与である、請求項１６記載の処置方法。
【請求項１８】
組成物はデポーとして投与することができる、請求項１２記載の組成物。
【請求項１９】
ＨＨＴの水溶液であって、該溶液は安定であり、該溶液は１回投与形態であり、そして該溶液は注射による投与に適当である、該水溶液。
【請求項２０】
該溶液は０．１〜５０ｍｇ／ｍＬの間の濃度のＨＨＴを有する、請求項１９記載の水溶液。
【請求項２１】
該溶液は約１〜５ｍｇ／ｍＬの間の濃度を有する、請求項１９記載の水溶液。
【請求項２２】
該溶液はｐＨが約３．０〜５．０の間を有する、請求項１９記載の水溶液。
【請求項２３】
該溶液はｐＨが約４．０を有する、請求項１９記載の水溶液。
【請求項２４】
該溶液は封した容器で供される、請求項１９記載の水溶液。
【請求項２５】
活性成分として治療学的に有効な量のセファロタキシ、および医薬的に許容し得る担体を含有する、宿主の異常細胞性疾患を処置するための医薬組成物であって、
該宿主を該異常細胞性疾患をモジュレートするのに十分な量のセファロタキシンと接触し、そして該接触は少なくとも５連続日数の間である、該医薬組成物。
【請求項２６】
該セファロタキシンはホモハリングトニンである、請求項２５記載の医薬組成物。
【請求項２７】
該異常細胞性疾患は、癌、白血病、前白血病疾患、または骨髄異形成症候群である、請求項２５記載の医薬組成物。
【請求項２８】
ホモハリングトニンは１〜５ｍｇ／ｍ２の間の用量での注入によって投与する、請求項２５記載の医薬組成物。
【手続補正書】
【提出日】平成18年5月1日(2006.5.1)
【手続補正１】
【補正対象書類名】特許請求の範囲
【補正対象項目名】全文
【補正方法】変更
【補正の内容】
【特許請求の範囲】
【請求項１】
異種P501Sポリペプチドもしくは異種P501Sコードポリヌクレオチド、またはその免疫原性断片；および製薬上許容される担体を含む、免疫原性組成物。
【請求項２】
前記異種P501Sポリペプチドまたはその免疫原性断片が、配列番号１または配列番号３または配列番号10からなる群より選択される、請求項１に記載の免疫原性組成物。
【請求項３】
前記異種P501Sコードポリヌクレオチドまたはその免疫原性断片が、配列番号２または配列番号４または配列番号11からなる群より選択される、請求項１に記載の免疫原性組成物。
【請求項４】
TH-1誘導性アジュバントをさらに含む、請求項１〜３のいずれか一項に記載の免疫原性組成物。
【請求項５】
TH-1誘導性アジュバントが、3D-MPL、QS21、免疫賦活性CpGオリゴヌクレオチド、QS21およびコレステロールの混合物、または１つ以上のこれらのアジュバントの組み合わせを含むアジュバントの群から選択される、請求項４に記載の免疫原性組成物。
【請求項６】
異種P501Sポリペプチドまたはその免疫原性断片をin vitroにて搭載することにより改変されたか、または異種P501Sポリペプチドを発現するようにin vitroで遺伝的に改変された有効量の抗原提示細胞、および製薬上有効な担体を含む、免疫原性組成物。
【請求項７】
医薬に使用するための、請求項１〜６のいずれか一項に記載の免疫原性組成物。
【請求項８】
異種P501Sポリペプチドまたは異種P501Sコードポリヌクレオチドを、適切なアジュバント、希釈剤またはその他の製薬上許容される担体と混合することを含む、請求項１〜７のいずれか一項に記載の免疫原性組成物を製造する方法。
【請求項９】
配列番号１の全長にわたる配列番号１のアミノ酸配列に対して少なくとも92％の同一性を有するアミノ酸配列を含む、単離ポリペプチド。
【請求項１０】
前記アミノ酸配列が、配列番号１に対して少なくとも95％の同一性を有する、請求項９に記載の単離ポリペプチド。
【請求項１１】
配列番号１のアミノ酸配列を含む、請求項１０に記載のポリペプチド。
【請求項１２】
配列番号１の単離ポリペプチド。
【請求項１３】
その免疫原性断片の免疫原性活性が配列番号１のポリペプチドと実質的に同じである、請求項９〜１２のいずれか一項に記載のポリペプチドの免疫原性断片を含むポリペプチド。
【請求項１４】
より大きい融合タンパク質の一部である、請求項９〜１３のいずれか一項に記載のポリペプチド。
【請求項１５】
請求項９〜１４のいずれか一項に記載のポリペプチドをコードする単離ポリヌクレオチド。
【請求項１６】
配列番号２の配列を含む、請求項１５に記載の単離ポリヌクレオチド。
【請求項１７】
配列番号２の全長にわたる配列番号２のアミノ酸配列に対して少なくとも92％の同一性を有するポリペプチドをコードするヌクレオチド配列を含む単離ポリヌクレオチド；または該単離ポリヌクレオチドに相補的なヌクレオチド配列を含む単離ポリヌクレオチド。
【請求項１８】
前記同一性が少なくとも95％である、請求項１５〜１７のいずれか一項に記載の単離ポリヌクレオチド。
【請求項１９】
請求項１５〜１８のいずれか一項に記載の単離ポリヌクレオチドを含む、発現ベクターまたは組換え生存微生物。
【請求項２０】
請求項１９に記載の発現ベクター、または請求項１５〜１８のいずれか一項に記載の単離ポリヌクレオチドを含む、宿主細胞。
【請求項２１】
そのポリペプチドを生成するのに十分な条件下で請求項２０に記載の宿主細胞を培養すること、およびその培養培地から該ポリペプチドを回収することを含む、請求項９〜１４のいずれか一項に記載のポリペプチドを製造する方法。
【請求項２２】
前立腺癌または他のP501S関連腫瘍もしくは疾患を患っているかまたはそれに罹り易い患者を免疫療法的に治療するための免疫原性組成物の製造における、請求項９〜１８のいずれか一項に記載のポリペプチドまたはポリヌクレオチドの使用。
【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
ベンチュリ構造、エアギャップ動作モードで液体噴流が前記ベンチュリ構造に入る際に通過するエアギャップ、および前記エアギャップに配置される取り外し可能な逆止弁を有し、エアギャップ動作モードと逆止弁動作モードとの間で変換可能であることを特徴とするエダクタ。
【請求項２】
エアギャップ動作モードにおいて前記エダクダは前記液体噴流を供給するノズルを有し、該ノズルは着脱可能であり、変換時に取り外して前記逆止弁と交換される請求項１記載のエダクタ。
【請求項３】
前記逆止弁は、使用時に前記ベンチュリ構造に導かれる流体噴流を供給する出口を有する請求項１または２記載のエダクタ。
【請求項４】
前記逆止弁は、開放されている場合に前記ベンチュリ構造へ液体を流す、前記エアギャップにわたってシールされた第１の流路を提供し、かつ、該第１の流路が閉鎖されている場合に、前記ベンチュリ構造から前記エアギャップへ入り前記逆止弁から出るように逆流させる第２の流路を提供する請求項１〜３のいずれかに記載のエダクタ。
【請求項５】
逆止弁を前記エアギャップに取り付けることを特徴とする、ベンチュリ混合部およびエアギャップを有するエアギャップエダクタの適合方法。
【請求項６】
前記エアギャップエダクタがウォータージェットを導くノズルを有し、前記エダクタから前記ノズルを取り外す工程を有する請求項５記載のエアギャップエダクタの適合方法。
【手続補正２】
【補正対象書類名】明細書
【補正対象項目名】００１８
【補正方法】変更
【補正の内容】
【００１８】
ここで、エアギャップおよびベンチュリ入口領域を有するエダクタのエアギャップ内に取り外し可能なように取り付けられている逆止弁カートリッジについて説明する。この逆止弁カートリッジは、供給ラインから水を受け取るようになっている入口、ベンチュリ入口領域に水を送出するようになっている出口、および入口と出口の間の逆止弁を有する。
【手続補正３】
【補正対象書類名】明細書
【補正対象項目名】００２３
【補正方法】変更
【補正の内容】
【００２３】
エアギャップエダクタのエアギャップ内に着脱可能に取り付けることができる逆止弁カートリッジは、エアギャップエダクタが逆止弁で作動するように、既存のエアギャップエダクタを改変するのに安価で効率的な方法を提供することができる。したがって、本発明は、エダクタの逆流防止を改変する手段を提供し、エダクタ装置の交換または別個の逆止弁装置の取り付けの費用や不便さを伴わない、逆止弁による防止の効果を提供する。
【手続補正書】
【提出日】平成18年9月25日(2006.9.25)
【手続補正１】
【補正対象書類名】明細書
【補正対象項目名】０００９
【補正方法】変更
【補正の内容】
【０００９】
この課題を解決するための本発明の対象は、一つまたは複数の中間層、特にＡｌ−および／またはＴｉ−支柱のあるクレーを有する触媒作用する層状珪酸塩、特にナノ複合体層状珪酸塩の製造方法において、層状珪酸塩に金属溶液、好ましくはポリカチオン性金属溶液を添加しそして次にこの混合物をそれぞれの中間層を支える金属原子支柱を生成しながら乾燥し、その後に更に、この様にして生じる乾燥物質に金属塩、特に遷移金属塩を乾燥混合物を生成しながら添加し、そしてその後にこの乾燥混合物を３００℃よりも高く加熱し、その結果として、金属原子あるいは遷移金属原子をガス放出下に中間層中に蓄積しそしてこの乾燥混合物を同時にか焼することを特徴とする、上記方法である。
【手続補正２】
【補正対象書類名】明細書
【補正対象項目名】００４３
【補正方法】変更
【補正の内容】
【００４３】
その後に原料分散物またはベントナイト分散物１．２および金属塩溶液または水酸化アルミニウム溶液２．２を“支柱化”工程のために互いに混合する。これを、混合物の改善のために超音波の助けを借りてまたは借りずに、特に方法段階３．１の間になし遂げる。この様にして生成される溶液または混合物を次いで段階３．２で洗浄しそして濾過し、その後に段階４．１で乾燥し、か焼する。これは一般に４００℃〜６００℃の温度で１〜１２時間の期間行なう。
【手続補正３】
【補正対象書類名】明細書
【補正対象項目名】００４５
【補正方法】変更
【補正の内容】
【００４５】
その後に触媒活性金属原子または遷移金属原子を段階６．１の間に中間層中に蓄積させる。この段階においてこの乾燥混合物を特に好ましくは１〜１２時間の間、加熱しそしてか焼する。最後にこの方法は段階６．２における、バインダーまたは可塑剤を追加的に使用するかまたは使用しない、成形作業で完結する。最後に完成生成物を次いでモノリス単位として、ペレットとしてまたは担体を被覆する溶液として入手することができる。いずれの場合にも、最終生成物は特に好ましくは耐水蒸気性があり、このものは自動車の排ガスシステムにおいて接触的排ガス浄化に使用する運命にある。